(57)【要約】      （修正有）【課題】運搬用ベットで病室に運ばれた患者を病室内ベットに移しかえる作業を容易にすると共に患者がベット上で上半身を起こしたときの体のずり落ちを患者自身により容易に修正でき、更にベットシートに載った患者をそのまま入浴しうるようにする。【解決手段】ベットシート１を単独又は患者を載せたまま、病室内ベットのガイド枠３と運搬用ベットのガイド枠１４との間を滑らせて往復移動できるようにした。又ベットシート１上の患者が上半身を起こしたいとき、背部ヒンジ軸７を支点としてガイド枠３の背部を持ち上げると共にベットシート１を長手方向にずらすことにより患者の体のずり落ちを修正できるようにした。その上病室用ベットのガイド枠３上に載せたベットシート１又は運搬用ベットのガイド枠１４上に載せたベットシート１の上に患者を載せたまま、その下に浴槽車を差し込み、浴槽を持ち上げて浴槽内の湯１９に浸し入浴させうるようにした。【選択図】図１
2004181196.tif 000002
【特許請求の範囲】
【請求項１】
ベットシート１を単独又は患者を載せたまま、病室内ベットのガイド枠３と運搬用ベットのガイド枠１４との間を滑らせて、往復移動しうるようにしたベットの構造。
【請求項２】
ベットシート１上の患者が上半身を起こしたいとき、又は足部を上げたいとき、背部ヒンジ軸７又は足部ヒンジ軸１０を支点として病室用ベットのガイド枠３の背部又は足部を持ち上げると共にベットシート１を長手方向に少しずらすことにより患者の体のずり落ちを修正しうるようにしたベットの構造。
【請求項３】
病室用ベットのガイド枠３上に載せたベットシート１又は運搬用ベットのガイド枠１４上に載せたベットシート１の上に患者を載せたまま、その下に浴槽車１７を差し込み浴槽１８を持ち上げるか又は反対にベットシート１を降下させる事により患者を浴槽１８内の湯１９に浸して入浴させるようにしたベットの構造。
【発明の詳細な説明】
【０００１】〔産業上の利用分野〕
身体の運動機能の低下した患者用ベットとして使用する。特に入浴の手助けを必要とする患者用として適している。
【０００２】〔従来の技術〕
従来の患者用ベットは患者の上半身を起こしたいとき、又は足部を持ち上げたいとき電動によりその機能を助けるものであるがこれ以上の機能は備えられていない。
【０００３】〔発明が解決しようとする課題〕
従来の患者用ベットの機能を満たすことは勿論であるが患者を運搬用ベットより容易に病室用ベットに移し変え、又反対に運搬用ベットに戻すことが出来、又ベットシート、ガイド枠、ベット架台等を浸水に耐えうる構造としてベットシート上の患者をそのまま浴槽中に入浴させうるような新しい機能を付加しようとするものである。又運搬用ベットも同様な構造とすることによりその上で患者を載せたまま浴場へ運び、入浴させることも出来る。このようにすることにより介護の助力を大幅に軽減することが可能になる。
【０００４】〔課題を解決するための手段〕
１）ベットシート１を単独又は患者を載せたまま、病室内ベットのガイド枠３と運搬用ベットのガイド枠１４との間を滑らせて往復移動できるようにした。
２）ベットシート１上の患者が上半身を起こしたいとき、又は足部を上げたいとき、背部ヒンジ軸７又は足部ヒンジ軸１０を支点として病室内ベットのガイド枠３の背部又は足部を持ち上げると共にベットシート１をその長手方向に少しずらすことにより患者の体のずり落ちを修正しうるようにした。
３）病室用ベットのガイド枠３上に載せたベットシート１又は運搬用ベットのガイド枠１４上に載せたベットシート１の上に患者を載せたまま、その下に浴槽車１７を差込み、浴槽１８を持ち上げるか、又は反対にベットシート１を降下させる事により患者を浴槽１８内の湯１９に浸して入浴させるようにした。
以上３点の効用はすべて患者を載せたベットシート１の移送により実現可能となりました。
【０００５】〔作用〕
従来処置室より戻された身体の運動機能の低下した患者は運搬用ベットで病室に運ばれ、人力により病室内ベットに移しかえられている。本発明では運搬用ベット上のベットシート１に載せられている患者は駆動用ローラー１１によりベットシート１が病室内ベットのガイド枠３上に引き込まれることにより病室内ベットに移しかえられるようになった。
又このベットシート１が駆動用ローラー１１によりガイド枠３上で滑動可能になったことによりベットシート１上における患者の体のずり落ちが患者の電動操作により修正できるようになった。
その上ベットシート１をベットのガイド枠３より分離可能にし耐水性の構造にすることにより、そしてベットのガイド枠３、ガイド枠用受板４、ベット架台２等を耐水性とし、浴槽１８内にベットシート１が充分沈下するようにベット架台２の足部を逆Ｕ字型にして浴槽１８の縁部がそこに入り込むように形成している。
【０００６】〔実施例〕
図は本発明実施の一例を示すものであって、ベットシート１は上面はスポンジ等の柔軟性をもち、下面は駆動用ローラー１１の噛み合って空転しないよう凹凸形状等を持ち且つガイド枠３の屈曲に沿い変形出来る適度の剛性を持っている。そして水を吸収しない材質で形成されている。
〔図１〕に示すとおりこのベットシート１が患者を載せたまま運搬用ベットのガイド枠１４より病室内のベットのガイド枠３へ駆動用ローラー１１の回転により移しかえられる。この回転はハンドル車１２の手動回転、又は電動回転により与えられる。
又このベットシート１は反対方向に病室内ベットより運搬用ベットに戻すことも可能である。
ベットシート１上の患者が上半身を起こしたいときは背部ヒンジ軸７を支点にしてガイド枠用受板の背部５を電動のウォーム減速機のウォームホイール９等により持ち上げることにより、ベットのガイド枠３とベットシート１を同時に折り曲げて背もたれを起こした状態にする。このとき患者の体は僅かにずり落ちることが生じる。その時はハンドル車１２により駆動用ローラー１１を回転し、ベットシート１を少し移動して患者の体の位置に合わせることが出来る。
患者を入浴させたいときは、
（１）病室内ベットの上で入浴させる方法
（２）患者をベットシート１に載せたまま運搬用ベットに移しかえ、その上で入浴させる方法
（３）患者をベットシート１に載せたまま運搬用ベットに移しかえ浴室に運び、ベットシート１を浴槽に吊り下げて入浴させる方法がある。
（１）の方法では〔図５〕のように浴槽車１７をベットの下に差し込み〔図６〕及び〔図７〕のように浴槽車の昇降装置２０により浴槽１８を持ち上げてベットシート１上の患者を湯１９に浸すことが出来る。又は図示は省略しているが、ベットシート１を降下させることにより浴槽の湯に浸すことも可能である。
（２）の方法も（１）と同様、浴槽車１７を搬送用ベットの下に差し込み、浴槽１８を持ち上げて、患者を入浴させることが出来る。
【０００７】〔発明の効果〕
今までベットよりベットに患者を移すことは容易な作業ではなかった。又、ベットの上の患者を入浴させることは到底考えられなかった。
又ベット上での体のずり落ちを修正するためには、介護者が患者を移動させることが必要であった。
以上３点が困難な作業が本発明により容易に行うことが出来るようになった。
【図面の簡単な説明】
図は本説明の実施の一例を示すものである。
【図１】運搬用ベットより病室用ベット上へベットシートを移すときの状況の縦断面図
【図２】〔図１〕のＡ−Ａ断面図
【図３】〔図１〕のＢ−Ｂ断面図
【図４】〔図１〕のＣ−Ｃ断面図
【図５】病室用ベットの下に浴槽車を挿入したときの側面図
【図６】浴槽を持ち上げて病室用ベットを浸したときの縦断面図
【図７】〔図６〕のＤ−Ｄ断面図
【符号の説明】
１・・・ベットシート              ２・・・病室用ベット架台
３・・・病室内ベットのガイド枠
４・・・ガイド枠用  受板本体
５・・・ガイド枠用  受板の背部
６・・・ガイド枠用  受板の足部
７・・・背部ヒンジ軸              ８・・・ウォーム減速機
９・・・ウォーム減速機のウォームホイール
１０・・・足部ヒンジ軸
１１・・・ベットシート駆動用ローラー
１２・・・駆動用ローラー付ハンドル車
１３・・・運搬用ベット架台
１４・・・運搬用ベットのガイド枠
１５・・・同上ガイド枠用  受板本体
１６・・・運搬用ベットの車輪
１７・・・浴槽車
１８・・・浴槽                    １９・・・浴槽中の湯
２０・・・浴槽の昇降装置          ２１・・・浴槽車の車輪
【図１】
2004181196.tif 000003
【図２】
2004181196.tif 000004
【図３】
2004181196.tif 000005
【図４】
2004181196.tif 000006
【図５】
2004181196.tif 000007
【図６】
2004181196.tif 000008
【図７】
2004181196.tif 000009